【手続補正書】
【提出日】平成26年12月17日(2014.12.17)
【手続補正１】
【補正対象書類名】明細書
【補正対象項目名】０００９
【補正方法】変更
【補正の内容】
【０００９】
上記の目的を達成するため、本発明による通信装置は、撮像装置に着脱可能に装着される通信装置であって、接続されたケーブルを介して、撮影動作の実行を指示する第１の信号をケーブルと接続された撮像装置に送信する第１の送信手段と、装着された撮像装置のアクセサリシューに設けられた端子と電気的に接続される信号端子を介して、撮影動作の実行を指示する第２の信号を前記撮像装置に送信する第２の送信手段と、前記撮影動作の実行を指示する際に、前記撮像装置に前記第１の信号と前記第２の信号のいずれを送信するか否かを制御する制御手段と、を有することを特徴とする。
【手続補正２】
【補正対象書類名】明細書
【補正対象項目名】００１０
【補正方法】変更
【補正の内容】
【００１０】
また、上記の目的を達成するため、本発明によるカメラシステムは、撮像装置と、当該撮像装置に装着される通信装置と、を有するカメラシステムであって、前記通信装置は、接続されたケーブルを介して、撮影動作の実行を指示する第１の信号を前記ケーブルと接続された撮像装置に送信する第１の送信手段と、前記撮像装置のアクセサリシューに設けられた端子と電気的に接続される信号端子を介して、撮影動作の実行を指示する第２の信号を前記撮像装置に送信する第２の送信手段と、撮影動作の実行を指示する際に、前記第１の信号と前記第２の信号いずれを送信する否かを制御する制御手段と、を有し、前記撮像装置は、第１の送信手段により送信された前記第１の信号を受信する第１の受信手段と、前記第２の送信手段により送信された前記第２の信号を受信する第２の受信手段と、を有し、前記第１の受信手段により受信した前記第１の信号又は前記第２の受信手段により受信した前記第２の信号にしたがって、撮影動作を実行することを特徴とする。
【手続補正３】
【補正対象書類名】特許請求の範囲
【補正対象項目名】全文
【補正方法】変更
【補正の内容】
【特許請求の範囲】
【請求項１】
撮像装置に着脱可能に装着される通信装置であって、
接続されたケーブルを介して、撮影動作の実行を指示する第１の信号をケーブルと接続された撮像装置に送信する第１の送信手段と、
装着された撮像装置のアクセサリシューに設けられた端子と電気的に接続される信号端子を介して、撮影動作の実行を指示する第２の信号を前記撮像装置に送信する第２の送信手段と、
前記撮影動作の実行を指示する際に、前記撮像装置に前記第１の信号と前記第２の信号のいずれを送信するか否かを制御する制御手段と、
を有することを特徴とする通信装置。
【請求項２】
前記制御手段は、前記装着された撮像装置が前記ケーブルと接続されている場合、前記撮影動作の実行を指示する際に、前記装着された撮像装置に関する情報に基づいて、前記第１の信号と前記第２の信号のいずれを送信するか否かを制御することを特徴とする請求項１に記載の通信装置。
【請求項３】
前記制御手段は、前記装着された撮像装置が前記ケーブルと接続されている場合、前記撮影動作の実行を指示する際に、前記装着された撮像装置が前記第２の信号に応じて撮影動作を実行可能か否かに関する情報に基づいて、前記第１の信号と前記第２の信号のいずれを送信するか否かを制御することを特徴とする請求項２に記載の通信装置。
【請求項４】
前記制御手段は、前記装着された撮像装置が前記ケーブルと接続されている場合、前記撮影動作の実行を指示する際に、前記装着された撮像装置が前記第２の信号に応じて撮影動作を実行不可能なときは、前記第１の信号を送信するように前記第１の送信手段を制御することを特徴とする請求項３に記載の通信装置。
【請求項５】
前記制御手段は、前記装着された撮像装置が前記ケーブルと接続されている場合、前記撮影動作の実行を指示する際に、前記装着された撮像装置が前記第２の信号に応じて撮影動作を実行可能なときは、前記第２の信号を送信するように前記第２の送信手段を制御することを特徴とする請求項３に記載の通信装置。
【請求項６】
前記制御手段は、前記装着された撮像装置が前記ケーブルと接続されている場合、前記撮影動作の実行を指示する際に、前記装着された撮像装置のフォーカス制御モードに関する情報に基づいて、前記第１の信号と前記第２の信号のいずれを送信するか否かを制御することを特徴とする請求項２に記載の通信装置。
【請求項７】
前記制御手段は、前記装着された撮像装置が前記ケーブルと接続されている場合、前記撮影動作の実行を指示する際に、前記装着された撮像装置がマニュアルフォーカスモードであるときは、前記第１の信号を送信するように前記第１の送信手段を制御することを特徴する請求項６に記載の通信装置。
【請求項８】
前記制御手段は、前記装着された撮像装置が前記ケーブルと接続されている場合、前記撮影動作の実行を指示する際に、前記装着された撮像装置がオートフォーカスモードであるときは、前記第２の信号を送信するように前記第２の送信手段を制御することを特徴する請求項６に記載の通信装置。
【請求項９】
前記第２の送信手段は、前記信号端子を介してシリアル通信で前記第２の信号を前記装着された撮像装置に送信することを特徴とする請求項１乃至８のいずれか１項に記載の通信装置。
【請求項１０】
外部機器と無線通信を行う無線通信手段をさらに有し、
前記制御手段は、撮影動作の実行を指示する際に、前記無線通信手段を介して外部機器から受信した信号に基づいて、前記第１の信号と前記第２の信号のいずれを送信するか否かを制御することを特徴とする請求項１に記載の通信装置。
【請求項１１】
前記制御手段は、前記装着された撮像装置が前記ケーブルと接続されている場合、前記撮影動作の実行を指示する際に、前記装着された撮像装置が無線通信可能か否かに関する情報に基づいて、前記第１の信号と前記第２の信号のいずれを送信するか否かを制御することを特徴とする請求項１０に記載の通信装置。
【請求項１２】
前記制御手段は、前記装着された撮像装置が前記ケーブルと接続されている場合、前記装着された撮像装置が無線通信可能なときは、前記第１の信号及び前記第２の信号のいずれも送信しないように前記第１の送信手段及び前記第２の送信手段を制御することを特徴とする請求項１１に記載の通信装置。
【請求項１３】
前記制御手段は、前記撮影動作の実行を指示する際に、前記ケーブルと接続された撮像装置が前記通信装置に装着されていない場合、前記第１の信号を送信するように前記第１の送信手段を制御することを特徴する請求項１乃至１２のいずれか１項に記載の通信装置。
【請求項１４】
撮像装置に着脱可能に装着される通信装置であって、
装着された撮像装置のアクセサリシューに設けられた端子と電気的に接続される信号端子を介さずに、撮影動作の実行を指示する第１の信号を前記装着された撮像装置に送信する第１の送信手段と、
前記信号端子を介して、撮影動作の実行を指示する第２の信号を前記装着された撮像装置に送信する第２の送信手段と、
撮影動作の実行を指示する際に、前記第１の信号と前記第２の信号のいずれを送信する否かを制御する制御手段と、
を有することを特徴とする通信装置。
【請求項１５】
撮像装置と、当該撮像装置に装着される通信装置と、を有するカメラシステムであって、
前記通信装置は、
接続されたケーブルを介して、撮影動作の実行を指示する第１の信号を前記ケーブルと接続された撮像装置に送信する第１の送信手段と、
前記撮像装置のアクセサリシューに設けられた端子と電気的に接続される信号端子を介して、撮影動作の実行を指示する第２の信号を前記撮像装置に送信する第２の送信手段と、
撮影動作の実行を指示する際に、前記第１の信号と前記第２の信号いずれを送信する否かを制御する制御手段と、を有し、
前記撮像装置は、
第１の送信手段により送信された前記第１の信号を受信する第１の受信手段と、
前記第２の送信手段により送信された前記第２の信号を受信する第２の受信手段と、を有し、
前記第１の受信手段により受信した前記第１の信号又は前記第２の受信手段により受信した前記第２の信号にしたがって、撮影動作を実行することを特徴とするカメラシステム。
【請求項１６】
撮像装置と、当該撮像装置に装着される通信装置と、を有するカメラシステムであって、
前記通信装置は、
前記撮像装置のアクセサリシューに設けられた端子と電気的に接続される信号端子を介さずに、撮影動作の実行を指示する第１の信号を前記撮像装置に送信する第１の送信手段と、
前記信号端子を介して、撮影動作の実行を指示する第２の信号を前記撮像装置に送信する第２の送信手段と、
撮影動作の実行を指示する際に、前記第１の信号と前記第２の信号のいずれを送信するか否かを制御する制御手段と、を有し、
前記撮像装置は、
第１の送信手段により送信された前記第１の信号を受信する第１の受信手段と、
前記第２の送信手段により送信された前記第２の信号を受信する第２の受信手段と、を有し、
前記第１の受信手段により受信した前記第１の信号又は前記第２の受信手段により受信した前記第２の信号にしたがって、撮影動作を実行することを特徴とするカメラシステム。